(57)【要約】閉回路で接続され、超臨界蒸気圧縮サイクルにおいて動作する、蒸発器（２３）、圧縮器（２０）、空冷式熱除去熱交換器（２１）、および膨張装置（２２）含む冷凍またはヒートポンプシステム。熱除去熱交換器（２１）は、空気の自然な上昇循環／対流により冷却される。好ましい実施形態において、熱除去熱交換器（２１）は、空気流コンジットすなわちシェル（１１）に組み込まれて、煙突効果を得ることにより、自然空気循環を高める。
2004514868.tif 000002
【特許請求の範囲】
【請求項１】
蒸気圧縮サイクルにおいて動作する閉回路で接続される以下の各構成要素、蒸発器（２３）、圧縮器（２０）、空冷式熱除去熱交換器（２１）、および膨張装置（２２）のうちの少なくとも１つを含む冷凍またはヒートポンプシステムであって、
冷媒が、空気の自然な上昇循環／対流により冷却される前記熱除去熱交換器（２１）中での温度移行により、超臨界圧で熱を除去することを特徴とする、冷凍またはヒートポンプシステム。
【請求項２】
前記熱除去熱交換器（２１）は、空気流コンジットすなわちシェル（１１）に組み込まれて、自然空気循環を高めることを特徴とする、請求項１に記載のシステム。
【請求項３】
前記空気流コンジット（１１）は、略垂直方向に上方に伸長することを特徴とする、請求項１および２に記載のシステム。
【請求項４】
前記熱除去熱交換器（２１）の冷媒管すなわちコンジット（１０）を通る冷媒流が、概ね頂部の入口（１２）から底部の出口（１３）に向けて通過することを特徴とする、請求項１〜３に記載のシステム。
【請求項５】
付加的な空気流コンジット（１１ａ）が、空気流量を増大させるために、前記熱除去熱交換器（２１）の頂部に取り付けられることを特徴とする、請求項１〜４の１つまたは複数に記載のシステム。
【請求項６】
付加的な空気流ノズル配列が、空気流量を増大させるために、前記熱除去熱交換器（２１）の頂部に取り付けられることを特徴とする、請求項１〜５の１つまたは複数に記載のシステム。
【請求項７】
前記空気流コンジットすなわちシェル（１１）は、伝熱表面として全体的または部分的に用いられ、それによって、前記冷媒管すなわちコンジット（１０）は、前記コンジットすなわちシェル（１１）の一体部分を形成することを特徴とする、請求項１〜６の１つまたは複数に記載のシステム。
【請求項８】
高負荷状況での空気流を高めるために、ファンが、前記空気流コンジット（１１）の前、後、または内部に取り付けられることを特徴とする、請求項１〜７の１つまたは複数に記載のシステム。
【請求項９】
二酸化炭素が冷媒として用いられることを特徴とする、請求項１〜８の１つまたは複数に記載のシステム。
【発明の詳細な説明】
【０００１】
［発明の分野］
本発明は、冷凍またはヒートポンプシステムに関し、特に、いずれの場合も冷媒として二酸化炭素を用いる、食品または飲料の冷却または凍結のための小売および／または貯蔵キャビネット用の冷凍システム、あるいは建物の暖房用のヒートポンプに関する。
【０００２】
［従来技術の説明］
冷却または凍結キャビネット用の冷凍システムは通常、蒸気圧縮サイクルにおいて蒸発および凝縮により作用する冷媒を有する。冷媒は、その臨界温度が必要な熱除去（凝縮）温度を十分に下回るように選択される。空冷システムにおいて効果的な凝縮を達成するためには、比較的大きな空気流量が必要であり、凝縮器およびエアフローシステムのために広い空間が必要である。凝縮器中で空気を循環させるために、ほとんどのシステムにおいてファンが必要である。この解決策の１つの問題は、ファンのために比較的大きな電力が必要であること、ならびにファンおよびそのエアフローシステムのためにさらなる空間が必要であることである。強制空気流ならびにファンおよびそのモータにより騒音問題が生じる可能性もあり、ファンの取り付けはシステムに対する付加費用および複雑性をもたらす。
【０００３】
室内空気に熱を供給する住宅用および軽商業用ヒートポンプは通常、凝縮器中で強制空気循環を行う室内ユニットを有する。これもまた、空気循環ファンすなわちブロアが必要であるが、これはさらなる電力消費および騒音をもたらす。さらに、大きな空気流量および／または高速の気流によるドラフトによって室温よりわずかに高いだけの温度がもたらされることにより、温熱快適性が低下する可能性がある。大きな空気流が必要であるため、室内ユニットの設計は大容量を必要とし、これは魅力的な製品設計のためのオプションを減らす。
【０００４】
現在の冷凍またはヒートポンプシステムの冷媒は、オゾン層破壊特性および／または人為的気候変動への寄与により望ましくないフルオロカーボンベースの化学薬品であるか、または安全上の問題により異議を唱えられている可燃性炭化水素ベースの流体である。
【０００５】
超臨界（ｔｒａｎｓ ｃｒｉｔｉｃａｌ）システムでは、熱は、超臨界的に加圧された冷媒の温度を低下させることにより除去されるが、従来のシステムにおけるような一定温度での凝縮によっては除去されない。超臨界圧冷媒は、熱交換器を通って流れる際に熱を放出し、その温度が低下する（温度移行）。理想的には、冷媒および空気流の向流により、冷媒温度は空気入口の温度に近づく。
【０００６】
冷媒からの温度移行熱除去を伴う状況では、空気流量が低下し、空気出口の温度は凝縮器での状況と比較して上昇し得る。凝縮器では、空気出口の温度は、凝縮器の温度を必ず下回らねばならない。超臨界システムでは、高い気温および低下した空気流量は、熱交換器中での空気流の自然対流に有益であり、騒音を低減し、ヒートポンプの用途における温熱快適性に関して有利でもあろう。
【０００７】
［発明の概要］
したがって、上記の問題および欠点に鑑みて、システムにおいて安全でかつ環境に優しい冷媒を用いた冷凍システムであって、ファンの電力を必要としない、または高負荷状況において微量のファン電力しか用いない、小型の自然空気循環熱除去システムを有する冷凍システムを提供することが、本発明の目的である。
【０００８】
これらの目的を果たすために、本発明は、不燃性であり、無毒であり、かつ環境に優しい流体二酸化炭素（ＣＯ２）を冷媒として用いるシステムを説明する。
【０００９】
本発明は、併記の独立請求項１で定義されるように、空気の自然な上昇循環／対流により冷却される熱除去熱交換器中での温度移行により、冷媒が超臨界圧で熱を除去することを特徴とする。
【００１０】
本発明の好ましい実施形態は、従属請求項２〜８においてさらに定義される。
【００１１】
ＣＯ２の特別な熱力学的特性を利用すること、およびシステムを適切に設計することにより、上述のように、空気の自然対流と空気流量の大幅な低下とにより、特別な空気循環ファンを必要とせずに、熱除去が生じ得る。
【００１２】
本発明を、一例として、図面を参照して以下でさらに説明する。
【００１３】
［好ましい実施形態の詳細な説明］
図１〜図６を参照して、本発明の実施形態を以下の本文において詳細に説明する。
【００１４】
図１は、圧縮器２０、空冷式熱除去ユニット２１、膨張装置２２、および蒸発器２３を含む蒸気圧縮システムの一例を示す。これらの構成要素は閉回路で接続され、閉回路は、超臨界蒸気圧縮サイクルにおいて、すなわち、高圧側の超臨界圧で動作する。熱除去熱交換器２１は、空気の自然な上昇循環／対流によって冷却される。
【００１５】
図２は、空気流コンジット、すなわち空気流外側シェルすなわちジャケット１１および熱交換器の管１０を有する熱除去ユニットの断面図を示す。この管は、シェル１１内にそれぞれ互いの上に一直線に配置される。空気はシステムの下端の入口ｉから入り、頂部の出口ｏから出る。空気循環は、空気が熱交換器の管により加熱されると自然対流により達成される。圧縮器からの高温の冷媒は、熱交換器の冷媒入口１２を通って入り、熱交換器を通って流れながら空気へ熱を除去し、それによって効率的な煙突効果が達成される。冷却された冷媒は熱交換器から出口１３を通って出る。空気流量をさらに増大させるために、熱交換器の上方に縦幅を追加したコンジット１１ａを加えて、煙突効果を増大させてもよい。空気流を高めるために、合流および分岐するノズル断面を有する「煙突」すなわちスタックを形成することもできる。
【００１６】
図３の断面図により示されるように、伝熱管１０は、流れコンジット内に千鳥状に配置して、表面を増大させて伝熱を向上させることもできる。
【００１７】
図４は、折返し管１０に基づいた空気流コンジット１１および熱交換器を有する、自然空気循環熱除去ユニットの側面図を示す。空気循環および熱交換器の効率を最大にするためには、冷媒は、空気に対して略向流方向に流れるべきである。図に示すように、頂部の冷媒入口１２および底部の出口１３により、２つの異なる空気流および冷媒流の間の所望の関係が達成される。
【００１８】
別の可能な実施形態を図５に示す。ここで、空気流コンジット１１は円形の断面を有し、伝熱管１０は、空気流コンジット１１内部に螺旋状に形成される。空気流に関して空気コンジット１１の断面を最適化するために、コンジットに円形内管を挿入し、挿入された管が端部で閉じられることにより、伝熱管を収容するアニュラス（ａｎｎｕｌｕｓ）を確立してもよい。
【００１９】
図６により示されるように、伝熱管は、プレート状のシェルすなわちコンジット１１の一体部分を形成し、すなわち、コンジットすなわちシェルに組み込まれて、空気流に面する伝熱表面を増大するようにしてもよい。必要な場合、コンジットの高さに沿った熱伝導が、プレートにスロット、スプリット、またはルーバ１４を有することにより低減または排除され得る。シェルプレートまたはコンジットは平面を有することができ、または表面が、自然対流の空気流を高める垂直のフィンあるいは開いているかまたは閉じているダクト状の構造からなることができる。
【００２０】
併記の特許請求の範囲で定義される本発明は、図面に示し上記で説明する例に限定されず、したがって、上記の実施形態の全てにおいて、コンジットすなわちシェルの１つまたはいくつかの壁は、伝熱表面としても適用することができる。さらに、伝熱管は図面において円形の断面を有して示されるが、フラット管、楕円形管、多孔管、およびより複雑な形状を含む、任意の管形状を用いることができる。さらに、冷媒管は空気流コンジット材料に組み入れて、放射により伝熱を高めることもできる一体型の熱除去および空気コンジットユニットをもたらすこともできる。ワイヤ、フィン、スタッド等を含む、伝熱管のいくつかの強化および外面の拡大もまた可能である。プレートフィンが延出した表面を有するＭｕｌｔｉ　Ｐｏｒｔ　Ｅｘｔｒｕｄｅｄ（ＭＰＥ）熱交換器を用いる例を図７に示す。この表面では、高温の冷媒は、頂部から入り、このような場合に理想的である完全な向流熱交換プロセスでの空気の自然な上昇循環／向流により冷却された後に、底部から出る。
【００２１】
図８は、冷蔵庫または同様の装置において用いられる、請求項５に記載の実施形態の例を示す。熱交換器１０は底部コンパートメント内に配置され、自然空気流／循環を高めるために、冷蔵庫の裏側にある空気流コンジット１１ａにより空気流シェルすなわちジャケット１１が伸長されている。
【図面の簡単な説明】
【図１】
閉回路で接続された圧縮器、自然空気循環による空冷式熱除去ユニット、膨張装置、および蒸発器を含む超臨界蒸気圧縮システムを示す図である。
【図２】
本発明による空気流コンジットおよびインライン配置の円形管に基づいた熱除去熱交換器を含む、自然空気循環による熱除去ユニットの断面図である。
【図３】
本発明の第２の実施形態による、空気流コンジットおよび千鳥配置の円形管に基づいた熱除去熱交換器を含む、自然空気循環による熱除去ユニットの断面図である。
【図４】
本発明の第３の実施形態による、空気流コンジットおよび折返し管に基づいた熱除去熱交換器を有する、自然空気循環による熱除去ユニットの側面図である。
【図５】
本発明の第４の実施形態による、空気流コンジットおよび螺旋形状に形成された熱除去熱交換器を有する熱除去ユニットの断面図である。
【図６】
本発明の第５の実施形態による、管がプレートに取り付けられて空気側の伝熱表面を増大させる熱除去ユニットを示す図である。
【図７】
片側または両側にプレートフィンが延出した表面を有するＭｕｌｔｉ　Ｐｏｒｔ　Ｅｘｔｒｕｄｅｄ（ＭＰＥ）熱交換器を用いる、自然空気循環による完全に向流の熱除去ユニットを示す図である。
【図８】
冷蔵庫または同様の装置において用いられる、請求項５に記載の実施形態の例を示す図である。
【図１】
2004514868.tif 000003
【図２】
2004514868.tif 000004
【図３】
2004514868.tif 000005
【図４】
2004514868.tif 000006
【図５】
2004514868.tif 000007
【図６】
2004514868.tif 000008
【図７】
2004514868.tif 000009
【図８】
2004514868.tif 000010
【国際公開パンフレット】
2004514868.tif 000011
2004514868.tif 000012
2004514868.tif 000013
2004514868.tif 000014
2004514868.tif 000015
2004514868.tif 000016
2004514868.tif 000017
2004514868.tif 000018
2004514868.tif 000019
2004514868.tif 000020
2004514868.tif 000021
2004514868.tif 000022
2004514868.tif 000023
【国際調査報告】
2004514868.tif 000024
2004514868.tif 000025
2004514868.tif 000026
2004514868.tif 000027
2004514868.tif 000028